(57)【要約】【課題】  光学式ピックアップによりディスクに信号を記録することが出来る光ディスク記録装置の記録制御方法を提供する。【解決手段】  規定の線速度一定及び規定の線速度より高速の線速度一定の状態にてディスクを回転させた状態で信号の記録動作を行うことが出来る光ディスク記録装置の記録制御方法であり、高速の線速度一定による記録動作を行っているとき、ディスクより反射されるレーザー光のレベルを検出し、その検出レベルの変化が所定値を越えたとき記録線速度を低下させるように構成されている。【選択図】    図１
2005251288.tif 000002
【特許請求の範囲】
【請求項１】
規定の線速度一定及び規定の線速度より高速の線速度一定の状態にてディスクを回転させた状態で信号の記録動作を行うことが出来る光ディスク記録装置の記録制御方法であり、高速の線速度一定による記録動作を行っているとき、ディスクより反射されるレーザー光のレベルを検出し、その検出レベルの変化が所定値を越えたとき記録線速度を低下させるようにしたことを特徴とする光ディスク記録装置の記録制御方法。
【請求項２】
記録位置が内周側から外周側に移動するに従って記録線速度を段階的に高速側に変更することによって信号の記録動作を行うことが出来る光ディスク記録装置の記録制御方法であり、記録位置の外周側への移動により記録速度が高速の線速度に変更された状態にて記録動作を行っているとき、ディスクより反射されるレーザー光のレベルを検出し、その検出レベルの変化が所定値を越えたとき記録線速度を低下させるようにしたことを特徴とする光ディスク記録装置の記録制御方法
【請求項３】
反射されるレーザー光のレベル検出動作をレーザー出力が記録レベルにある間で行うようにしたことを特徴とする請求項１又は請求項２に記載の記録制御方法。
【請求項４】
検出レベルの変化が所定値を越えたとき、記録動作を中断させた後記録線速度を低下させ、ディスク回転速度が低下させた線速度にて安定したとき記録中断位置から記録動作を再開させるようにしたことを特徴とする請求項１又は請求項２に記載の記録制御方法。
【発明の詳細な説明】
【技術分野】
【０００１】
本発明は、光学式ピックアップより照射されるレーザー光によってディスクに信号を記録するように構成された光ディスク記録装置の記録制御方法に関する。
【背景技術】
【０００２】
光学式ピックアップより照射されるレーザー光によってディスクに信号を記録することが出来るように構成された光ディスク記録装置が商品化されている。斯かる光ディスク記録装置にて使用される記録用ディスクには、プリグルーブと呼ばれる溝が設けられており、このプリグルーブより得られるウォブル信号を復調することによって時間情報、即ちアドレスデータを得ることが出来るように構成されている。そして、光ディスク記録装置は、ディスクより得られるアドレスデータに基づいてアドレスデータを生成し、このアドレスデータを記録信号に付加するエンコード処理を行うことによってディスクに信号を記録するように構成されている。
【０００３】
光ディスク記録装置では、光学式ピックアップより照射されるレーザー光をディスク面の信号トラックに対して正確に照射する必要があるので、フォーカス制御動作及びトラッキング制御動作が行われるように構成されている。斯かるフォーカス制御動作は、対物レンズをディスク面に対して垂直方向へ変位させるフォーカシングコイルに駆動電流を供給することにより行われ、トラッキング制御動作は、対物レンズをディスクの径方向へ変位させるトラッキングコイルに駆動電流を供給することにより行われる。
【０００４】
また、光ディスク記録装置は、ディスクへの記録動作を短時間にて行うことが要求されているため、規定の線速度一定の状態にてディスクを回転駆動させて記録動作を行うだけでなく、規定の線速度の４倍、８倍及び１２倍等の高速の線速度一定の状態にてディスクを回転駆動させて記録動作を行うことが出来るようにされている。
【０００５】
光ディスク記録装置におけるディスクへの記録動作は、ディスクを線速度一定の状態にて回転させた状態にて行われるが、ディスクを線速度一定の状態にて回転駆動する場合、ディスクの内周側の方が外周側よりもディスクの回転角速度が高速になる。従って、ディスクの内周側から外周側まで高速の同一の線速度一定にて回転駆動させることは困難である。
【０００６】
斯かる問題を解決する方法としてディスクの内周側より外周側に記録位置が移動するに従って、即ち記録線速度を高速にすることが可能な位置に記録位置が移動すると線速度を高速度に変更するようにした技術、所謂ＺＯＮＥ−ＣＬＶと呼ばれる技術が開発されている(例えば、特許文献１参照。)。
【０００７】
また、高速の線速度一定の状態にてディスクを回転駆動させて信号の記録動作を行う場合、ディスクの回転特性を良好な状態に保持する必要があるが、ディスクに偏心等の機械的な瑕疵があるとディスクの回転特性が悪化することになる。ディスクの回転特性が悪化すると光学式ピックアップのフォーカシング制御動作やトラッキング制御動作を正確に行うことが困難になり、ディスクへの信号の記録動作を正確に行うことが出来なくなるという問題がある。斯かる問題を解決する方法として、記録動作中フォーカスエラー信号のレベルを検出し、そのレベルが大きくなるとディスクの回転速度を低下させる方法が採用されている(例えば、特許文献２参照。)。
【０００８】
そして、コンピューター装置と接続して使用される光ディスク記録装置では、ディスク
ーの記録速度に対してコンピューター装置から送出されるデータ信号の転送量が不足した場合に発生するバッファアンダーランエラーと呼ばれる問題を解決する技術が開発されている。斯かる技術は、バッファアンダーラン状態になったとき、ディスクへの信号の記録動作を一旦中断させ、記録信号であるデータ信号が記録動作を行うことが出来る量になったとき記録中断位置から記録動作を再開させるように構成されている(例えば、特許文献３参照。)。
【特許文献１】特開２００２−３５８６４２号公報
【特許文献２】特開２００４−５８１７号公報
【特許文献３】特開平１０−４９９９０号公報
【発明の開示】
【発明が解決しようとする課題】
【０００９】
フォーカスエラー信号やトラッキングエラー信号のレベル変化を検出することによってディスクへの記録動作を正確に行うことが出来ないと判断してディスクの記録回転速度を低下させる方法は、ディスクの機械的瑕疵に対しては対処することが出来るもののディスクの記録特性の瑕疵に対しては対処出来ないものである。
【００１０】
ディスクの記録特性は、全記録領域において均一ではなく、特性が異なる部分があり、斯かる場合には、記録用のレーザー出力がその位置におけるディスクの記録特性と合致しないことになり、信号の記録特性が正常に行えないという問題がある。
【００１１】
本発明は、斯かる問題を解決することが出来る光ディスク記録装置の記録制御方法を提供しようとするものである。
【課題を解決するための手段】
【００１２】
本発明は、規定の線速度一定及び規定の線速度より高速の線速度一定の状態にてディスクを回転させた状態で信号の記録動作を行うことが出来る光ディスク記録装置の記録制御方法であり、高速の線速度一定による記録動作を行っているとき、ディスクより反射されるレーザー光のレベルを検出し、その検出レベルの変化が所定値を越えたとき記録線速度を低下させるように構成されている。
【００１３】
また、本発明は、記録位置が内周側から外周側に移動するに従って記録線速度を段階的に高速側に変更することによって信号の記録動作を行うことが出来る光ディスク記録装置の記録制御方法であり、記録位置の外周側への移動により記録速度が高速の線速度に変更された状態にて記録動作を行っているとき、ディスクより反射されるレーザー光のレベルを検出し、その検出レベルの変化が所定値を越えたとき記録線速度を低下させるように構成されている。
【発明の効果】
【００１４】
本発明は、記録動作中にディスクから反射されるレーザー光のレベル変化を検出し、その検出されるレベル変化が所定値を越えたとき記録線速度を低下させるようにしたので、ディスクの記録特性に瑕疵があった場合にも記録動作を正常に行うことが出来る。
【００１５】
また、本発明は、ディスクから反射されるレーザー光のレベル検出動作をレーザー出力が記録レベルにある間で行うようにしたので、即ちディスクに記録するために使用されるレーザー光の反射レベルを検出するようにしたので、記録特性の悪化を確実に認識することが出来る。
【発明を実施するための最良の形態】
【００１６】
本発明は、ディスクへの信号の記録動作時ディスク面から反射されるレーザー光のレベル変化を検出し、その検出されるレベル変化に基づいて記録速度を低下させるか否かの判定動作を行う。
【実施例】
【００１７】
図１は本発明に係る光ディスク記録装置の一実施例を示す回路図、図２は本発明の動作を説明するための波形図である。
【００１８】
図１において、１はスピンドルモーター２によって回転駆動されるディスクであり、位置情報データがプリグルーブと呼ばれる溝によって記録されており、この溝より得られるウォブル信号に基づいて信号の記録動作が行われるように構成されている。
【００１９】
３は前記ディスク１に照射されるレーザー光を放射させるレーザーダイオード４及び該レーザーダイオード４から照射されるレーザー光のレベルをモニターするモニター用ダイオード(図示せず)が組み込まれているとともにディスク１の信号面より反射されるレーザー光を受ける光検出器５が組み込まれている光学式ピックアップであり、ピックアップ送り用モーター(図示せず)によってディスク１の径方向に移動せしめられるように構成されている。
【００２０】
また、前記光学式ピックアップ３には、対物レンズ(図示せず)をディスク１の信号面に対して垂直方向へ変位させるフォーカシングコイル６及び対物レンズをディスク１の径方向へ変位させるトラッキングコイル７が組み込まれている。
【００２１】
８は前記光学式ピックアップ３に組み込まれている光検出器５から得られる信号が入力されるとともに該信号を増幅するＲＦ信号増幅回路であり、ＲＦ信号を波形整形するとともに２値化した信号を出力するように構成されている。９は前記光検出器５より得られる信号から生成されるフォーカスエラー信号及びトラッキングエラー信号に基づいてレーザーダイオード４から照射されるレーザー光をディスク１の信号面に合焦させるフォーカシング制御動作及び該レーザー光を信号トラックに追従させるトラッキング制御動作を行うピックアップ制御回路であり、フォーカスエラー信号に基づくフォーカシング制御信号及びトラッキングエラー信号に基づくトラッキング制御信号を出力するように構成されている。
【００２２】
１０は前記ピックアップ制御回路９より出力されるフォーカシング制御信号が入力されるフォーカシングコイル駆動回路であり、前記光学式ピックアップ３に組み込まれているフォーカシングコイル６に駆動信号を供給するように構成されている。１１は前記ピックアップ制御回路９より出力されるトラッキング制御信号が入力されるトラッキングコイル駆動回路であり、前記光学式ピックアップ３に組み込まれているトラッキングコイル７に駆動信号を供給するように構成されている。
【００２３】
１２は前記ＲＦ信号増幅回路８から出力される２値化信号が入力されるとともに該信号の処理動作を行うデジタル信号処理回路であり、各種信号の復調処理動作を行うように構成されている。１３は前記デジタル信号処理回路１２によって復調された信号が入力されるとともに入力される信号に基づいて光ディスク記録装置の各動作を制御するシステム制御回路であり、インターフェース回路１４を介して外部に設けられているコンピューター装置等のホスト機器と接続されている。
【００２４】
１５は前記光学式ピックアップ３に組み込まれているレーザーダイオード４に記録用の
パルス信号を供給するレーザー駆動回路あり、記録動作時図２に示すようなパルス信号、即ち記録用出力ＶＲと再生用出力ＶＰよりなるパルス信号を出力するように構成されている。１６は前記インターフェース回路１４を通して入力される記録信号をディスク１の記録規格に対応させてエンコード処理する信号記録用回路であり、エンコード処理した記録信号を前記レーザー駆動回路１５に対して出力するように構成されている。
【００２５】
１７はディスク１に形成されているプリグルーブから得られるウォブル信号から抽出される同期信号に基づいて同期信号を生成する同期信号生成回路、１８はディスク１の回転線速度の基準となる信号を生成する基準信号生成回路であり、前記システム制御回路１３による制御動作に基づき設定される各線速度に応じた基準クロック信号を生成するように構成されている。１９は前記スピンドルモーター２を回転駆動する信号を供給するスピンドルモーター駆動回路であり、前記同期信号生成回路１７から出力される同期信号と基準信号生成回路１８から出力される基準信号とが同期するように該スピンドルモーター２を回転駆動制御するように構成されている。
【００２６】
２０は前記ＲＦ信号増幅回路８を通して入力される信号、即ちディスク１の信号面から反射されるレーザー光のレベルに応じた信号が入力されるとともに記録用出力ＶＲの駆動信号がレーザー駆動回路１５からレーザーダイオード４に供給されている期間に得られる信号をサンプリングするサンプリング回路であり、図２に示すように記録用出力期間の信号をサンプリングするように構成されている。２１は前記サンプリング回路２０によってサンプリングされた信号が入力されるとともに該入力信号のレベルを検出する反射光レベル検出回路である。
【００２７】
２２は前記インターフェース回路１４を通して入力される記録信号であるデータ信号が記憶されるバッファ用ＲＡＭであり、前記システム制御回路１３によって信号の記憶動作及び読み出し動作が制御されるように構成されている。斯かるバッファ用ＲＡＭ２２からの記録信号の読み出し動作は、ディスク１への記録動作に対応して行われるようにされている。
【００２８】
また、ディスク１への記録動作中に前記バッファ用ＲＡＭ２２に記憶されている記録信号の量が記録動作を続けることが出来ない量まで低下した場合、即ちバッファアンダーラン状態になった場合には、ディスク１への記録動作を一旦中断させ、記録信号の量が増加した場合に記録動作を中断させた位置から記録動作を再開させることが出来るように構成されている。斯かる動作を行う技術は、周知の技術を使用すれば良いのでその詳細については省略する。
【００２９】
以上に説明したように本発明に係る光ディスク記録装置は構成されているが、スピンドルモーター駆動回路１９によるスピンドルモーター２の回転駆動制御動作は、規定の線速度は勿論のこと、規定の線速度の４倍、８倍及び１２倍の線速度一定になるように駆動制御するように構成されている。そして、各記録線速度に対応させてデジタル信号処理回路１２や信号記録用回路１６等の動作を制御するクロック信号等の周波数を変更させるように構成されている。また、ディスク１の記録特性に適したレーザー出力を設定する動作は、ディスク１の内周側に設けられている試し書き領域にテスト信号をレーザー出力を変更しながら記録した後その記録された信号を再生し、その再生特性が最良になる信号を記録したレーザー出力を最適なレーザー出力として設定するようにされている。このようにして設定されるレーザー出力が記録用出力ＶＲとなるが、斯かる値は、ディスク１の記録速度に対応して設定されることになる。
【００３０】
また、レーザー駆動回路１５から図２に示すようなパルス信号が出力されるが、斯かるパルス信号の中の記録用出力ＶＲが出力される期間をシステム制御回路１３が認識し、そ
の期間に応じて図２に示すタイミングのサンプリング信号をサンプリング回路２０に印加し、その間に得られる信号を反射光レベル検出回路２１に出力させるように構成されている。そして、前記反射光レベル検出回路２１によって検出されたレベルは、システム制御回路１３によって認識され、その値が該システム制御回路１３内に組み込まれているメモリー回路(図示せず)に記憶されるように構成されている。
【００３１】
以上に説明したように本発明に係る光ディスク記録装置は構成されているが、次に動作について説明する。通常の記録動作や再生動作が行われている状態では、光学式ピックアップ３に組み込まれている光検出器５より得られる信号からフォーカスエラー信号やトラッキングエラー信号を生成し、そのエラー信号に基づいてフォーカシング制御動作及びトラッキング制御動作を行うための制御動作がピックアップ制御回路９によって行われる。
【００３２】
前記ピックアップ制御回路９による各動作を行うための制御動作が行われると、フォーカシングコイル駆動回路１０及びトラッキングコイル駆動回路１１に該ピックアップ制御回路９から制御信号が出力される。その結果、前記フォーカシングコイル駆動回路１０及びトラッキングコイル駆動回路１１よりフォーカシングコイル６及びトラッキングコイル７に対して駆動信号が供給される。斯かる動作が行われる結果、光学式ピックアップ３より照射されるレーザー光をディスク１上の信号面に合焦させるフォーカシング制御動作及び信号トラックに追従させるトラッキング制御動作を行うことが出来る。
【００３３】
以上に説明したようにピックアップ制御回路９によるフォーカシング制御動作及びトラッキング制御動作は行われるが次にスピンドルモーター駆動回路１９によるスピンドルモーター２の回転駆動動作について説明する。
【００３４】
スピンドルモーター２の回転駆動動作は、スピンドルモーター駆動回路１９によって行われるが、斯かるスピンドルモーター駆動回路１９による回転制御動作は、同期信号生成回路１７から出力される同期信号と基準信号生成回路１８から出力される基準クロック信号とを同期させる動作によって行われる。前記基準信号生成回路１８により生成される基準クロック信号の周波数は、外部に設けられているコンピューター装置から出力される記録命令信号に基づいて設定される記録速度に対応して設定される。
【００３５】
コンピューター装置から規定線速度の１２倍の線速度一定による記録動作を行うための命令信号が出力されると、システム制御回路１３から基準信号生成回路１８に対して規定線速度の１２倍の線速度一定による回転制御動作を行うための基準クロック信号を生成させるための切換制御信号が出力される。斯かる制御信号が入力される結果、前記基準信号生成回路１８から１２倍用の基準クロック信号が出力される。
【００３６】
一方スピンドルモーター２はスピンドルモーター駆動回路１９から出力される駆動信号により所定の回転数、即ちディスク１の内周側における線速度を１２倍の線速度になる回転数にて回転駆動される。斯かる動作が行われると、前述した光学式ピックアップ３に対するフォーカシング制御動作及びトラッキング制御動作が行われ、ディスク１に形成されているプリグルーブにて記録されている同期信号がウォブル信号として再生される。斯かる同期信号は、デジタル信号処理回路１２によって抽出され、抽出された同期信号に基づいて同期信号生成回路１７から同期信号が生成される。
【００３７】
前記基準信号生成回路１８から出力される基準クロック信号と同期信号生成回路１７から出力される同期信号がスピンドルモーター駆動回路１９に入力されると、該スピンドルモーター駆動回路１９は、基準クロック信号とディスク１より再生される同期信号に基づいて同期信号生成回路１７から出力される同期信号とが同期するようにスピンドルモーター２を回転駆動する信号を出力することになる。斯かる駆動信号がスピンドルモーター駆
動回路１９からスピンドルモーター２に供給される結果、ディスク１は、回転線速度が規定線速度の１２倍の線速度一定にて回転駆動されることになる。
【００３８】
前述したディスク１の回転駆動制御動作は、各記録線速度に合わせて基準信号生成回路１８から出力される基準クロック信号の周波数を変更することによって行われる。
【００３９】
以上に説明したように光学式ピックアップ３のフォーカシング制御動作、トラッキング制御動作及びスピンドルモーター２の回転駆動制御動作は行われるが、次に本発明の要旨である記録制御方法について説明する。
【００４０】
外部に設けられているコンピューター装置から例えば高速の線速度である規定線速度の１２倍の線速度一定にてディスク１を回転させて信号の記録動作を行うための命令信号が出力されると、インターフェース回路１４を介して斯かる命令信号がシステム制御回路１３に入力される。
【００４１】
斯かる命令信号が入力されると命令信号に基づくシステム制御回路１３による制御動作が開始される。光学式ピックアップ３に対する各種制御動作及びスピンドルモーター２に対する回転制御動作は前述したように行われるのでその説明は省略する。
【００４２】
ディスク１に信号を記録するためには、まず記録動作に適したレーザー出力を設定するための動作が行われる。斯かるレーザー出力の設定動作は、ディスク１の内周側に設けられている試し書き領域にテスト信号をレーザー出力を変更しながら行い、その記録された信号の再生信号の特性を検出することによって行われるが、斯かる動作は周知の技術を利用することによって行われるのでその説明は省略する。
【００４３】
レーザー出力の設定動作が終了するとディスク１に設けられているＰＭＡと呼ばれる領域に記録されている情報データに基づいて記録動作を行う位置の認識動作等を行う。斯かる動作が行われると、光学式ピックアップ３を信号を記録する位置に移動させる動作を行うとともにコンピューター装置から出力される記録信号をバッファ用ＲＡＭ２２に記憶する動作が行われる。
【００４４】
斯かる動作によって光学式ピックアップ３がディスク１上の記録位置まで移動するとバッファ用ＲＡＭ２２に記憶されている記録信号を読み出し、その読み出された記録信号は信号記録用回路１６に入力される。前記信号記録用回路１６に入力された記録信号は、該信号記録用回路１６によるエンコード処理、即ち同期信号やアドレス信号をディスク１の規格に合わせて付加する処理動作が行われてレーザー駆動回路１５に印加される。
【００４５】
斯かる記録信号が入力されると、前記レーザー駆動回路１５は、入力される記録信号に対応した幅のパルス信号をレーザーダイオード４に対して出力される。図２に示したパルス信号がレーザー駆動回路１５から出力される信号であり、記録信号に対応して記録用出力ＶＲの期間と再生用出力ＶＰの期間が設定される。記録用出力ＶＲがディスク１にピットを形成する期間であり、その出力ＶＲが前述したレーザー出力の設定動作によって設定された値である。
【００４６】
前記レーザー駆動回路１５から記録信号に対応したパルス信号が出力される結果、ディスク１に信号を記録することが出来る。斯かる記録動作が行われているとき、ディスク１の信号面から反射されるレーザー光は、光検出器５によって電気信号に変換されてＲＦ信号増幅回路８に入力される状態にある。前記ＲＦ信号増幅回路８に入力された信号は、デジタル信号処理回路１２による信号処理動作によって同期信号やアドレス情報が抽出されてスピンドルモーター２の回転制御動作や信号記録用回路１６によるアドレス付加動作に
利用される。
【００４７】
一方、前記ＲＦ信号増幅回路８によって増幅された信号の中の一部は、サンプリング回路２０に入力される。そして、前記サンプリング回路２０はシステム制御回路１３の制御動作によってサンプリング動作を行うことになるが、そのサンプリング動作は、図２に示すように記録用出力ＶＲがレーザー駆動回路１５から出力されている間に行われる。斯かる動作は、レーザー駆動回路１５から出力される駆動信号のレベルをシステム制御回路１３が認識し、その認識動作に合わせてサンプリング回路２０に対してサンプリング信号を出力することによって行われる。
【００４８】
前述したタイミングでサンプリング動作が行われる結果、サンプリングされている間ＲＦ信号増幅回路８から得られる信号が反射光レベル検出回路２１に入力される。前記反射光レベル検出回路２１は、サンプリング回路２０によるサンプリング動作によって入力される信号のレベルを検出し、その検出したレベルをシステム制御回路１３に対して出力する。前記システム制御回路１３に入力された検出レベルは、該システム制御回路１３内に組み込まれているメモリー回路に記憶され、該システム制御回路１３は前記メモリー回路に記憶されている検出レベルに基づいてそのレベル変化の大きさを判定する動作を行う。
【００４９】
前記システム制御回路１３による検出レベルの変化判定動作は、ディスク１の信号面から反射されるレーザー光のレベル変化に対して行うものであり、その検出動作はレーザー出力が記録用出力ＶＲの期間に反射されるレーザー光に対して行われる。即ち、この期間はディスク１に信号を記録している期間であり、その反射光のレベルはディスク１に記録されるピットの形状に対応して変化するという特性がある。
【００５０】
ディスク１への記録動作が行われている状態において、反射光レベル検出回路２１によって検出されるレベルの変化が所定値内の変化である場合には、ディスク１への記録動作が正常に行われていると判断出来るのでディスク１への記録動作が続けて行われることになる。
【００５１】
前述したように記録動作が正常に行われている場合の動作は行われるが、次に反射光レベル検出回路２１によって検出されるレベルの変化が所定値より大きくなった場合の動作について説明する。記録動作中に前記反射光レベル検出回路２１によって検出されるレベルの変化が所定値より大きくなるということは、ディスク１に記録されるピットの形状が規格に合った形状ではなく、規格外、即ち大き過ぎたり小さ過ぎた形状になったと判定することが出来る。
【００５２】
斯かる判定動作が行われると、現在の記録速度、即ちこの場合には１２倍の線速度による記録動作を行うことが出来ないので、記録速度を低下させる動作、例えば規定の線速度に対して８倍の線速度による記録動作を行う状態に変更させる動作が行われる。斯かる記録速度の変更動作は、記録動作を一旦中断させた状態にて行われる。ディスク１への記録動作を中断させた状態において、スピンドルモーター２の回転線速度を８倍の線速度にするための制御動作が行われるが、斯かる動作は基準信号生成回路１８から出力される基準クロック信号の周波数を８倍の線速度による速度制御動作を行う周波数に変更することによって行うことが出来る。
【００５３】
また、スピンドルモーター２の回転変更制御動作を行うとともにレーザー駆動回路１５から出力されるレーザー出力を８倍の記録動作を行うために適したレーザー出力にするための変更動作が行われる。そして、デジタル信号処理回路１２の信号処理動作や信号記録用回路１６によるエンコード処理動作も８倍の記録動作に対応した動作を行うように変更される。
【００５４】
前述したような各回路の変更動作が行われ、ディスク１の回転速度が８倍の線速度一定にて回転駆動する状態で安定すると、記録中断位置から記録動作を再開させるための動作が行われる。斯かる動作は、バッファアンダーランエラーを防止する技術と同様に行うことが出来るのでその詳細な説明は省略するが、基本的な動作は次のように行われる。
【００５５】
即ち、記録動作を８倍の線速度にて行うことが出来る状況になると、まず光学式ピックアップ３の位置を記録動作が中断された位置より所定量、例えば記録信号の所定時間分又は所定トラックだけ後退させる。このようにして所定量だけ光学式ピックアップ３の位置を後退させると、その位置から信号の再生動作を開始させる。斯かる再生動作によって再生される信号は、ディスク１に記録動作を中断させる前に記録されていた信号である。
【００５６】
このようにして再生される信号から得られる同期信号と記録動作を行うために生成される記録用クロック信号との同期合わせ処理動作を行い、光学式ピックアップ３の位置が記録中断位置に到達したときバッファ用ＲＡＭ２２に記憶されている記録信号、即ち記録中断前に記録された信号に続いて記憶されていた記録信号の読み出し動作を行うとともにディスク１への記録動作を行う状態に切り換える動作を行う。
【００５７】
前述したように１２倍の線速度による記録動作を正常に行うことが出来ないと判定された場合には、８倍の線速度による記録動作を行う状態に変更するようにしたので、１２倍における記録特性と比較して良好な記録特性にて信号の記録動作を行うことが出来る。
【００５８】
尚、本実施例では、線速度の変更動作を記録動作を中断させることによって行うようにしたが、記録速度を変更しながら行うことも出来る。即ち、斯かる動作は、線速度の変更動作に伴ってディスク１の回転速度が低下するが、その低下するディスクから得られる同期信号の周波数に合わせてデジタル信号処理回路１２や信号記録用回路１６等の信号処理速度を変更することによって行うようにすることは可能である。
【００５９】
また、本実施例では、ディスク１の内周側から外周側まで同一の線速度による記録動作を行う場合について説明したが、内周側から外周側に記録位置が移動するに従って線速度を低速から高速に変更するように構成された光ディスク記録装置、即ちＺＯＮＥ−ＣＬＶと呼ばれる方式の光ディスク記録装置に実施することは出来る。斯かる方式の光ディスク記録装置では、外周側に設けられているＺＯＮＥに移動すると、記録線速度を高速の線速度に変更する動作が行われるが、この高速線速度による記録動作を行うＺＯＮＥにおいて、反射光レベル検出回路２１にて検出される反射光のレベルが大きく変化した場合には、内周側のＺＯＮＥにおける記録線速度、即ち低速の線速度に変更する動作が行われることになる。
【００６０】
更に、本実施例では、ディスク１に信号を記録するパルス信号を図２に示す２値のパルス信号の場合について説明したが、斯かるパルス信号は一度しか信号を記録することが出来ないディスク、即ち追記型ディスクに信号を記録する場合のパルス信号である。斯かる追記型ディスクに対して何度も繰り返し記録動作を行うことが出来る書き換え可能なディスクを使用する光ディスク記録装置では、再生用出力、記録用出力及び消去用出力レベルよりなるパルス信号によって信号の記録動作を行うように構成されており、この場合においても記録用出力が出力されている間に得られる反射光のレベルを検出することによって記録動作が正常に行われているか否かの判定動作を行うことが出来るので、本実施例と同様の動作を行うことが出来る。
【図面の簡単な説明】
【００６１】
【図１】本発明に係る光ディスク記録装置の一実施例を示す回路図である。
【図２】本発明の動作を説明するための波形図である。
【符号の説明】
【００６２】
１        ディスク
２        スピンドルモーター
３        光学式ピックアップ
４        レーザーダイオード
５        光検出器
８        ＲＦ信号増幅回路
９        ピックアップ制御回路
１２        デジタル信号処理回路
１３        システム制御回路
１５        レーザー駆動回路
１６        信号記録用回路
１９        スピンドルモーター駆動回路
２０        サンプリング回路
２１        反射光レベル検出回路
２２        バッファ用ＲＡＭ
【図１】
2005251288.tif 000003
【図２】
2005251288.tif 000004